(57)【要約】【課題】  待ち受け状態における電力消費を低減することが出来る無線端末、無線通信方法を提供する。【解決手段】  無線端末が、ネットワークエントリ要求信号送受信時間帯にネットワークエントリ要求信号を送信し、ネットワークエントリ要求信号送受信時間帯に他の無線端末からネットワークエントリ要求信号を受信しない場合、当該タイムスロットが終了するまでパワーダウンする。【選択図】  図１
2005057601.tif 000002
【特許請求の範囲】
【請求項１】
複数の無線端末間で、ネットワークエントリ要求信号送受信時間帯にネットワークを構築し、無線端末間通信時間帯にデータを送受信する無線端末であって、
前記ネットワークエントリ要求信号送受信時間帯にネットワークエントリ要求信号を送信し、
前記ネットワークエントリ要求信号送受信時間帯に他の無線端末からネットワークエントリ要求信号を受信しない場合、当該タイムスロットが終了するまでパワーダウンする
ことを特徴とする無線端末。
【請求項２】
前記ネットワークエントリ要求信号送受信時間帯に、他の無線端末からネットワークエントリ要求信号を受信した場合、前記無線端末は、当該無線端末間でネットワークを構築し、当該タイムスロット終了までデータ通信を行う
ことを特徴とする請求項１に記載の無線端末。
【請求項３】
前記タイムスロットは、ネットワークエントリ要求信号送受信時間帯と、無線端末間通信時間帯とから構成され、
前記ネットワークエントリ要求信号送受信時間帯に他の無線端末からネットワークエントリ要求信号を受信しない場合、無線端末間通信時間帯においてパワーダウンする
ことを特徴とする請求項１又は請求項２に記載の無線端末。
【請求項４】
前記ネットワークエントリ要求信号送受信時間帯に、他の無線端末から時刻情報を含むネットワークエントリ要求信号を受信した場合、当該他の無線端末に対し接続要求信号を送信し、当該他の無線端末から接続応答信号を受信した場合、前記時刻情報に基づいて、当該タイムスロットが終了するまでデータ通信を行う
ことを特徴とする請求項３に記載の無線端末。
【請求項５】
前記他の無線端末から接続応答信号を受信した場合において、データ通信を行わない場合、パワーダウンする
ことを特徴とする請求項４に記載の無線端末。
【請求項６】
１タイムスロット周期の間、他の無線端末の通信及び他の無線端末のネットワークエントリ要求信号送信が行われていないことを検知した場合、次タイムスロットにおける前記ネットワークエントリ要求信号送受信時間帯にネットワークエントリ要求信号を送信し、次タイムスロットのネットワークエントリ動作を繰り返す
ことを特徴とする請求項１から請求項５のいずれかの項に記載の無線端末。
【請求項７】
前記タイムスロットの時刻は、ＧＰＳ又は電波時計情報に基づいて補正される
ことを特徴とする請求項１から請求項６のいずれかの項に記載の無線端末。
【請求項８】
前記ネットワークエントリ要求信号送受信時間帯において、ネットワークエントリ要求信号を送信する接続要求送信待ち時間は、所定の時間範囲内において、ランダムに設定される
ことを特徴とする請求項１に記載の無線端末。
【請求項９】
前記ネットワークエントリ要求信号送受信時間帯に、他の無線端末からネットワークエントリ要求信号を受信した場合、当該他の無線端末に対し接続要求信号を送信する接続要求送信待ち時間Ｔａｗは、所定の時間範囲内において、ランダムに設定される
ことを特徴とする請求項４に記載の無線端末。
【請求項１０】
複数の無線端末間で、ネットワークエントリ要求信号送受信時間帯にネットワークを構築し、無線端末間通信時間帯にデータを送受信する無線データ通信システムにおける無線通信方法であって、
前記無線端末が、
前記ネットワークエントリ要求信号送受信時間帯にネットワークエントリ要求信号を送信し、
前記ネットワークエントリ要求信号送受信時間帯に他の無線端末からネットワークエントリ要求信号を受信しない場合、当該タイムスロットが終了するまでパワーダウンする
ことを特徴とする無線通信方法。
【請求項１１】
前記ネットワークエントリ要求信号送受信時間帯に、他の無線端末からのネットワークエントリ要求信号を受信した場合、前記無線端末は、当該無線端末間でネットワークを構築し、当該タイムスロット終了までデータ通信を行う
ことを特徴とする請求項１０に記載の無線通信方法。
【請求項１２】
前記タイムスロットは、ネットワークエントリ要求信号送受信時間帯と、無線端末間通信時間帯とから構成され、
前記ネットワークエントリ要求信号送受信時間帯に他の無線端末からネットワークエントリ要求信号を受信しない場合、前記無線端末は、無線端末間通信時間帯においてパワーダウンする
ことを特徴とする請求項１０又は請求項１１に記載の無線通信方法。
【請求項１３】
前記ネットワークエントリ要求信号送受信時間帯に、他の無線端末からネットワークエントリ要求信号を受信した場合、前記無線端末は、当該他の無線端末に対し接続要求信号を送信し、当該他の無線端末から接続応答信号を受信した場合、当該タイムスロットが終了するまでデータ通信を行う
ことを特徴とする請求項１２に記載の無線通信方法。
【請求項１４】
前記他の無線端末から接続応答信号を受信した場合において、データ通信を行わない場合、前記無線端末は、パワーダウンする
ことを特徴とする請求項１３に記載の無線通信方法。
【請求項１５】
１タイムスロット周期の間、他の無線端末の通信及び他の無線端末のネットワークエントリ要求信号送信が行われていないことを検知した場合、前記無線端末は、次タイムスロットにおける前記ネットワークエントリ要求信号送受信時間帯にネットワークエントリ要求信号を送信し、次タイムスロットのネットワークエントリ動作を繰り返す
ことを特徴とする請求項１０から請求項１４のいずれかの項に記載の無線通信方法。
【請求項１６】
前記無線端末は、ＧＰＳ又は電波時計情報に基づいて、タイムスロットの時刻を補正する
ことを特徴とする請求項１０から請求項１５のいずれかの項に記載の無線通信方法。
【請求項１７】
前記ネットワークエントリ要求信号送受信時間帯において、ネットワークエントリ要求信号を送信する接続要求送信待ち時間は、所定の時間範囲内において、ランダムに設定される
ことを特徴とする請求項１０に記載の無線通信方法。
【請求項１８】
前記ネットワークエントリ要求信号送受信時間帯に、他の無線端末からネットワークエントリ要求信号を受信した場合、当該他の無線端末に対し接続要求信号を送信する接続要求送信待ち時間Ｔａｗは、所定の時間範囲内において、ランダムに設定される
ことを特徴とする請求項１３に記載の無線通信方法。
【発明の詳細な説明】
【技術分野】
【０００１】
本発明は、電池電源で動作し携帯して移動することが可能な無線ＬＡＮ通信等の無線データ通信を行う携帯情報端末が、アドホックネットワークを形成し、無線データ通信を行う無線通信方法に関し、特に、アドホックネットワーク形成時において、通信相手を検知し、通信開始するまでの低消費電力化に関する。
【背景技術】
【０００２】
従来、無線機能を有する複数の端末間でアドホックネットワークを構成する場合において、有線ＬＡＮやベース局を用いずに、同一グループに属する全端末が互いのアドレスを認識し、通信するための技術が存在する。
例えば、特許文献１には、複数の無線端末により任意に構成された複数のグループが、ぞれぞれのグループに属する無線端末同士でアドホックな対等分散型ネットワーク通信を行う無線通信システムについて記載されている。
【０００３】
具体的には、当該アドホックネットワークにおけるホスト端末は、まず全メンバー名（Ａ）およびホスト端末固有のネットワークアドレス（Ｂ）をデータとしたパケットを同報送信し、待ちとなる。
メンバー端末は、受信パケットを解析し、自分の名前の入ったパケットから（Ｂ）の情報を取り出して識別し、各メンバー名と各メンバー端末固有のネットワークアドレス（Ｃ）をデータとするパケットをホスト端末へ送信する。
ホスト端末は、受信パケットを解析し、同一グループに属するメンバーの名前があった場合には、そのパケットに含まれる（Ｄ）情報を取得し、メンバー名と端末アドレスを対応させ、対応データをセーブしておく。
そして、一定時間後、全メンバー端末からのパケットを受信できない時には、再度先に入力した（Ａ）及び（Ｂ）をデータとしたパケットを同報送信し、待ちとなる。
【０００４】
したがって、当該無線通信システムによれば、無線端末で構成されるアドホックなネットワークにおいて、有線ＬＡＮおよびベース局なしに、同一グループに属する全端末が、互いのアドレスを認識し、通信することができる。
【特許文献１】特開平１０−２３０２８号公報
【発明の開示】
【発明が解決しようとする課題】
【０００５】
従来例は、アドホックネットワーク形成時において、互いのアドレスを認識し、通信するまでの方法を示すものであり、この発明によれば、ホスト端末は、通信許可されている全端末名およびホスト固有のネットワークアドレスを同報送信し、そのデータを受信した端末は各端末名とネットワークアドレスを情報として含む信号をホストヘ送信して、通信可能な無線端末を検知する。
ところで、この発明によれば、無線端末は、ホスト端末からの信号を受信できない場合、信号受信までの間、受信回路を動作させている。このとき、無線端末内の電源部は、受信回路に電力を継続して供給する必要がある。
すなわち、待ち受け状態において、無線端末は、通信を行っていないにも関わらず、受信回路において電力を消費し、電池電源を消耗するという問題があった。
【０００６】
本発明は、このような事情を考慮してなされたものであり、その目的は、待ち受け状態における電力消費を低減することが出来る無線端末、無線通信方法を提供することにある。
【課題を解決するための手段】
【０００７】
この発明は上記の課題を解決すべくなされたもので、本発明は、複数の無線端末間で、ネットワークエントリ要求信号送受信時間帯にネットワークを構築し、無線端末間通信時間帯にデータを送受信する無線端末であって、前記ネットワークエントリ要求信号送受信時間帯にネットワークエントリ要求信号を送信し、前記ネットワークエントリ要求信号送受信時間帯に他の無線端末からネットワークエントリ要求信号を受信しない場合、当該タイムスロットが終了するまでパワーダウンすることを特徴とする。
【０００８】
また、本発明は、前記ネットワークエントリ要求信号送受信時間帯に、他の無線端末からのネットワークエントリ要求信号を受信した場合、前記無線端末は、当該無線端末間でネットワークを構築し、当該タイムスロット終了までデータ通信を行うことを特徴とする。
【０００９】
また、本発明は、前記タイムスロットは、ネットワークエントリ要求信号送受信時間帯と、無線端末間通信時間帯とから構成され、前記ネットワークエントリ要求信号送受信時間帯に他の無線端末からネットワークエントリ要求信号を受信しない場合、無線端末間通信時間帯においてパワーダウンすることを特徴とする。
【００１０】
また、本発明は、前記ネットワークエントリ要求信号送受信時間帯に、他の無線端末から時刻情報を含むネットワークエントリ要求信号を受信した場合、当該他の無線端末に対し接続要求信号を送信し、当該他の無線端末から接続応答信号を受信した場合、前記時刻情報に基づいて、当該タイムスロットが終了するまでデータ通信を行うことを特徴とする。
【００１１】
また、本発明は、前記他の無線端末から接続応答信号を受信した場合において、データ通信を行わない場合、パワーダウンすることを特徴とする。
【００１２】
また、本発明は、１タイムスロット周期の間、他の無線端末の通信及び他の無線端末のネットワークエントリ要求信号送信が行われていないことを検知した場合、次タイムスロットにおける前記ネットワークエントリ要求信号送受信時間帯にネットワークエントリ要求信号を送信し、次タイムスロットのネットワークエントリ動作を繰り返すことを特徴とする。
【００１３】
また、本発明は、前記タイムスロットの時刻は、ＧＰＳ又は電波時計情報に基づいて補正されることを特徴とする。
【００１４】
また、本発明は、前記ネットワークエントリ要求信号送受信時間帯において、ネットワークエントリ要求信号を送信する接続要求送信待ち時間は、所定の時間範囲内において、ランダムに設定されることを特徴とする。
【００１５】
また、本発明は、前記ネットワークエントリ要求信号送受信時間帯に、他の無線端末からネットワークエントリ要求信号を受信した場合、当該他の無線端末に対し接続要求信号を送信する接続要求送信待ち時間Ｔａｗは、所定の時間範囲内において、ランダムに設定されることを特徴とする。
【００１６】
また、本発明は、複数の無線端末間で、ネットワークエントリ要求信号送受信時間帯にネットワークを構築し、無線端末間通信時間帯にデータを送受信する無線データ通信システムにおける無線通信方法であって、前記無線端末が、前記ネットワークエントリ要求信号送受信時間帯にネットワークエントリ要求信号を送信し、前記ネットワークエントリ要求信号送受信時間帯に他の無線端末からネットワークエントリ要求信号を受信しない場合、当該タイムスロットが終了するまでパワーダウンすることを特徴とする。
【００１７】
また、本発明は、前記ネットワークエントリ要求信号送受信時間帯に、他の無線端末からのネットワークエントリ要求信号を受信した場合、前記無線端末は、当該無線端末間でネットワークを構築し、当該タイムスロット終了までデータ通信を行うことを特徴とする。
【００１８】
また、本発明は、前記タイムスロットは、ネットワークエントリ要求信号送受信時間帯と、無線端末間通信時間帯とから構成され、前記ネットワークエントリ要求信号送受信時間帯に他の無線端末からネットワークエントリ要求信号を受信しない場合、前記無線端末は、無線端末間通信時間帯においてパワーダウンすることを特徴とする。
【００１９】
また、本発明は、前記ネットワークエントリ要求信号送受信時間帯に、他の無線端末からネットワークエントリ要求信号を受信した場合、前記無線端末は、当該他の無線端末に対し接続要求信号を送信し、当該他の無線端末から接続応答信号を受信した場合、当該タイムスロットが終了するまでデータ通信を行うことを特徴とする。
【００２０】
また、本発明は、前記他の無線端末から接続応答信号を受信した場合において、データ通信を行わない場合、前記無線端末は、パワーダウンすることを特徴とする。
【００２１】
また、本発明は、１タイムスロット周期の間、他の無線端末の通信及び他の無線端末のネットワークエントリ要求信号送信が行われていないことを検知した場合、前記無線端末は、次タイムスロットにおける前記ネットワークエントリ要求信号送受信時間帯にネットワークエントリ要求信号を送信し、次タイムスロットのネットワークエントリ動作を繰り返すことを特徴とする。
【００２２】
また、本発明は、前記無線端末は、ＧＰＳ又は電波時計情報に基づいて、タイムスロットの時刻を補正することを特徴とする。
【００２３】
また、本発明は、前記ネットワークエントリ要求信号送受信時間帯において、ネットワークエントリ要求信号を送信する接続要求送信待ち時間は、所定の時間範囲内において、ランダムに設定されることを特徴とする。
【００２４】
また、本発明は、前記ネットワークエントリ要求信号送受信時間帯に、他の無線端末からネットワークエントリ要求信号を受信した場合、当該他の無線端末に対し接続要求信号を送信する接続要求送信待ち時間Ｔａｗは、所定の時間範囲内において、ランダムに設定されることを特徴とする。
【発明の効果】
【００２５】
以上説明したように、本発明によれば、無線端末が、ネットワークエントリ要求信号送受信時間帯にネットワークエントリ要求信号を送信し、ネットワークエントリ要求信号送受信時間帯に他の無線端末からネットワークエントリ要求信号を受信しない場合、当該タイムスロットが終了するまでパワーダウンする。
したがって、ネットワークを構築していない無線端末は、常時受信回路を動作させることなく、他の無線端末のネットワークエントリ信号を検知可能であり、接続までの消費電力を大幅に低減することができる効果が得られる。
【００２６】
また、本発明によれば、１タイムスロット周期の間、他の無線端末の通信及び他の無線端末のネットワークエントリ要求信号送信が行われていないことを検知した場合、次タイムスロットにおける前記ネットワークエントリ要求信号送受信時間帯にネットワークエントリ要求信号を送信し、次タイムスロットのネットワークエントリ動作を繰り返す。
したがって、無線端末内のタイマ時刻が、通信相手の無線端末のタイマと異なっていても、ネットワークエントリが可能となる効果が得られる。
【００２７】
また、本発明によれば、前記タイムスロットの時刻は、ＧＰＳ又は電波時計情報に基づいて補正される。
したがって、無線端末の時刻同期が正確に行われ、ネットワークエントリが確実に行われる効果が得られる
【発明を実施するための最良の形態】
【００２８】
以下、本発明を実施するための最良の形態について説明する。
【実施例１】
【００２９】
以下、図面を参照して、本発明の無線端末の一実施形態について説明する。図１は、本実施形態の無線端末１の構成図である。
図１に示すように、無線端末１は、無線部１００と、無線信号処理部１１０と、中央処理部１２０と、表示部１３０と、操作部１４０と、記憶部１５０と、時計部２００と、時計補正部２１０とから構成される。
無線部１００は、他の複数の無線端末２、無線信号処理部１１０とのデータ入出力を行う。すなわち、無線部１００は、無線端末２が放射する無線電波を受信して、無線信号処理部１１０に出力するとともに、無線信号処理部１１０から入力される送信信号を無線電波に変換し、無線端末２に対して送信する。また、無線部１００は、無線信号処理部１１０から入力されたパワーダウン信号に基づいて、無線電波の送受信を停止し、電力消費レベルを低下させる。
【００３０】
無線信号処理部１１０は、無線信号処理に対する処理を行う。すなわち、中央処理部１２０が入出力するデータ信号を無線部１００が入出力する無線データ信号に変換する。
また、無線信号処理部１１０は、無線制御信号（接続要求信号等）を生成・解釈して、無線信号の制御（無線通信の状態遷移判断等）を行う。
また、無線信号処理部１１０は、無線通信の状態と時計部２００から入力する時計情報に基づいて、パワーダヴンを指示するパワーダウン信号を無線部１００に出力する。
【００３１】
中央処理部１２０は、携帯端末としての各種機能を表示部１３０、操作部１４０、記憶部１５０において実現する。また、中央処理部１２０は、無線信号処理部１１０に通信すべきデータの有無を通知する。さらに、中央処理部１２０は、データ通信状態において、無線信号処理部１１０とデータ入出力を行う。
時計部２００は、無線信号処理部１１０を制御する複数のタイマ値を生成し、時計情報として、無線信号処理部１１０に出力するとともに、時計補正部２１０が出力する時刻補正信号を入力して、時刻を補正する。
時計補正部２１０は、ＧＰＳ又は電波時計情報に基づいて、同期時刻を含む時刻補正信号を時計部２００に出力し、時計部２００の時刻補正を行う。
【００３２】
次に、図面を参照して、本実施形態の無線端末の動作について説明する。図２は、本実施形態の無線端末１、２間における送受信信号を示すタイムチャートである。
図２において、右方向が時間進行方向を示し、時刻ｔ＝０〜２Ｔまでを一例として示したものである。
まず図２において、Ｔ、Ｔｗ、Ｔｅｎは、それぞれ
Ｔ    ：タイムスロット周期
Ｔｗ  ：ネットワークエントリ要求信号送信待ち時間帯 
Ｔｅｎ：ネットワークエントリ要求信号送受信時間帯（ただし、Ｔｅｎ＞Ｔｗ）
を示す。また、無線端末間通信時間帯（Ｔ−Ｔｅｎ）は、ネットワークエントリ要求信号が受信された場合に、無線端末１が無線端末２と通信を行う時間を示す。また、エントリパワーダウン時間（Ｔ−Ｔｅｎ）は、ネットワークエントリ要求信号が受信されなかった場合において、ネットワークエントリ要求信号送受信時間終了後、次のネットワークエントリ要求送受信時間が始まるまでの間、パワーダウンを行う時間を示す。
【００３３】
図２に示すように、予め設定されるタイムスロット周期Ｔでネットワークエントリ処理を実行する。当該タイムスロット周期Ｔは、予め無線端末１、２がタイムスロット周期Ｔを保持する他、各無線端末が、エントリ要求信号の送受信の時に同時にタイムスロット周期Ｔの情報を送受するようにすることが考えられる。
このタイムスロット周期Ｔで区切られる各タイムスロットにおいて、ネットワークエントリ要求信号送受信時間帯（Ｔｅｎ）と無線端末間通信時間帯（Ｔ−Ｔｅｎ）と、又は、ネットワークエントリ要求信号送受信時間帯（Ｔｅｎ）とエントリパワーダウン時間帯（Ｔ−Ｔｅｎ）とが構成される。
【００３４】
ネットワークエントリ要求信号送受信時間帯（Ｔｅｎ）において、無線端末１、２は、ネットワークにエントリする。具体的には、無線端末１、２は、ネットワークエントリ要求信号送受信時間帯（Ｔｅｎ）において、ネットワークエントリ要求信号送受信時間帯のスタート時刻（ｔ＝０）からネットワークエントリ要求信号送信待ち時間帯Ｔｗ経過した時点（ｔ＝Ｔｗ）で、ネットワークエントリ要求信号をブロードキャスト送信する。
【００３５】
そして、例えば、電波信号減衰のため、電波信号強度が所定の値より低く、他無線端末からのネットワークエントリ要求信号を受信せずに、ネットワークエントリ要求信号送受信時間帯（Ｔｅｎ）が経過した時点（ｔ＝Ｔｅｎ）で、無線端末１、２は、エントリパワーダウン時間帯（Ｔ−Ｔｅｎ）に遷移する。
そして、エントリパワーダウン時間帯（Ｔ−Ｔｅｎ）において、無線端末１、２は、当該タイムスロットが終了するまで、すなわち、ｔ＝Ｔとなるまでパワーダウンする。
そして、タイムロット周期Ｔが経過した時点（ｔ＝Ｔ）で、無線端末１、２は、パワーダウンを終了し、次のタイムスロットに遷移し、ネットワークエントリ処理を繰り返し実行する（ｔ＝Ｔ〜２Ｔ）。
【００３６】
すなわち、ネットワークエントリ要求信号送受信時間帯（Ｔｅｎ）において、ネットワークエントリ要求信号送受信時間帯のスタート時刻（ｔ＝Ｔ）からネットワークエントリ要求信号送信待ち時間帯Ｔｗ経過した時点（ｔ＝Ｔ＋Ｔｗ）で、ネットワークエントリ要求信号をブロードキャスト送信する。
【００３７】
一方、ネットワークエントリ要求信号送受信時間帯（Ｔｅｎ）において、他無線端末からのネットワークエントリ要求信号を受信した場合、例えば、無線端末１が無線端末２からのネットワークエントリ要求信号を受信した場合、ネットワークエントリ要求信号送受信時間帯（Ｔｅｎ）が経過した時点（ｔ＝Ｔ＋Ｔｅｎ）で、無線端末１、２は、無線端末間通信時間帯（Ｔ−Ｔｅｎ）に遷移する。
そして、無線端末間通信時間帯（Ｔ−Ｔｅｎ）において、無線端末１、２は、当該無線端末どうしでネットワークを構築し、当該タイムスロットが終了するまで、すなわち、ｔ＝２Ｔとなるまで無線端末間でデータ通信を行う。
そして、タイムロット周期Ｔが経過した時点（ｔ＝２Ｔ）で、無線端末１、２は、データ通信を終了し、次のタイムスロットに遷移し、ネットワークエントリ処理を繰り返し実行する（ｔ＝Ｔ〜２Ｔ）。
【００３８】
この様子を図３に示す本実施形態の無線端末１の状態遷移図を用いて説明すると、他の無線端末との未接続状態において、無線端末１、２は、タイマ値ｔを０にセット（リセット）して、ネットワークエントリ受信時間を開始する（状態０）。そして、タイマ値ｔ＝Ｔｗにおいて（状態１）、無線端末１、２は、ネットワークエントリ要求信号をブロードキャスト送信する。
Ｔｗ＜タイマ値ｔ＜Ｔｅｎにおいて、他の無線端末からネットワークエントリ要求信号を受信した場合、無線端末１、２は、状態２に遷移し、タイマ値ｔ＝Ｔｅｎにおいて、エントリ要求受信時間が終了したことを受けて、無線端末間通信時間を開始する（状態３）。
すなわち、Ｔｅｎ＜タイマ値ｔ＜Ｔにおいて、無線端末間接続、データ通信を行う。
【００３９】
一方、Ｔｗ＜タイマ値ｔ＜Ｔｅｎにおいて、他の無線端末からネットワークエントリ要求信号を受信しなかった場合、無線端末１、２は、タイマ値ｔ＝Ｔｅｎにおいて、エントリ要求受信時間が終了したことを受けて、状態４に遷移し、Ｔｅｎ＜タイマ値ｔ＜Ｔにおいて、パワーダウンする。
そして、無線端末１、２は、タイマ値ｔ＝Ｔにおいて、パワーダウンを終了し（状態５）、再度、状態０に遷移する。そして、他の無線端末からネットワークエントリ要求信号を受信するまで、状態０〜５のルーチンを繰り返し実行する。
【００４０】
以上説明したように、本実施形態の無線端末１によれば、複数の無線端末がネットワークを構築してデータを送受信する無線通信システムにおいて、所定のタイムスロット周期Ｔ内にネットワークエントリ要求信号送受信時間帯を設け、この時間帯に各無線端末がエントリ要求信号を送信し、他の端末からエントリ要求信号を受信した場合、タイムスロットの終了までその端末と通信を行うとともに、他の端末からエントリ要求信号を受信しない場合、タイムスロットの終了までパワーダウンする。
すなわち、接続待ち状態において、無線端末１は、無線部１００を停止させる。
したがって、無線端末１は、ネットワークに接続するまでの消費電力を大幅に低減できる効果が得られる。
また、本実施形態の無線端末１によれば、無線端末内時計を利用し、他無線端末との時刻同期を行うことなく、決められた時間に、無線端末同士間でのネットワークエントリ信号の送受信動作が可能となる。
したがって、各タイムスロットにおける無線端末１、２間の信号送受信を確実に行うことが出来る効果が得られる。
また、本実施形態の無線端末１によれば、ＧＰＳ、電波時計等を利用して、時刻補正を行う。よって、無線端末１、２間における時刻同期が正確に実行される。
したがって、各タイムスロットにおける無線端末１、２間の信号送受信を確実に行うことが出来る効果が得られる。
【実施例２】
【００４１】
以下、図面を参照して、本発明の無線端末の第２の実施形態について説明する。
本実施形態の無線端末１の基本的な構成は、図１に示す構成図の通りであることから、説明を省略し、以下、第１の実施形態と異なる点について説明する。
まず図４において、
Ｔａｗ、Ｔｃ、Ｔａｐｄは、それぞれ
Ｔａｗ  ：接続信号送信待ち時間
Ｔｃ    ：接続要求信号受信時間 
Ｔａｐｄ：Ａｃｋ受信後、送信開始までの時間
を示す。
【００４２】
図４に示すように、ｔ＝０〜Ｔ＋Ｔｅｎまでの動作は、第１の実施形態と同様である。
そして、ネットワークエントリ要求信号送受信時間帯（Ｔｅｎ）において、他無線端末からのネットワークエントリ要求信号を受信した場合、例えば、無線端末１が無線端末２からのネットワークエントリ要求信号を受信した場合、ネットワークエントリ要求信号送受信時間帯（Ｔｅｎ）が経過した時点（ｔ＝Ｔ＋Ｔｅｎ）で、無線端末１は、無線端末間通信時間帯（Ｔ−Ｔｅｎ）に遷移する。
そして、無線端末間通信時間帯（Ｔ−Ｔｅｎ）において、接続信号送信待ち時間Ｔａｗが経過した時点（ｔ＝Ｔ＋Ｔｅｎ＋Ｔａｗ）で、無線端末１は、他の無線端末２に対し、接続要求信号を送信する。接続要求信号は無線端末２において受信され、無線端末２は、接続応答信号（Ａｃｋ）を返す。
【００４３】
接続要求信号を受信した無線端末２からの接続応答信号（Ａｃｋ）を受信すると、当該無線端末１、２間でネットワークを構築される。
そして、ネットワークエントリ要求信号送受信時間帯終了時点（ｔ＝Ｔ＋Ｔｅｎ）から接続要求信号受信時間（Ｔｃ）が経過した時点（ｔ＝Ｔ＋Ｔｅｎ＋Ｔｃ）で、無線端末１は、データ通信待ち時間（Ｔａｐｄ）の間、つまり、Ｔ＋Ｔｅｎ＋Ｔｃ＜ｔ＜Ｔ＋Ｔｅｎ＋Ｔｃ＋Ｔａｐｄの間、パワーダウンする。
そして、無線端末１は、データ通信待ち時間が経過した時点（ｔ＝Ｔ＋Ｔｅｎ＋Ｔｃ＋Ｔａｐｄ）において、パワーダウンを終了し、当該タイムスロットが終了するまで、すなわち、ｔ＝２Ｔとなるまで無線端末間でデータ通信を行う。
そして、タイムロット周期Ｔが経過した時点（ｔ＝２Ｔ）で、無線端末１、２は、データ通信を終了し、次のタイムスロットに遷移し、ネットワークエントリ処理を繰り返し実行する。
【００４４】
この様子を図５に示す本実施形態の無線端末１の状態遷移図を用いて説明する。まず図３に示す状態遷移図と図５に示す状態遷移図における各状態の対応関係を説明すると、
図３の状態０：図５の状態０
図３の状態１：図５の状態１
図３の状態２：図５の状態２
図３の状態３：図５の状態３
図３の状態４：図５の状態７
図３の状態５：図５の状態８
ように対応する。すなわち、図５における状態４、５、６において、本実施形態の無線端末１は、第１の実施形態と異なる。
【００４５】
今、他の無線端末との未接続状態において、無線端末１、２は、タイマ値ｔを０にセット（リセット）して、ネットワークエントリ受信時間を開始する（状態０）。そして、タイマ値ｔ＝Ｔｗにおいて（状態１）、無線端末１、２は、ネットワークエントリ要求信号をブロードキャスト送信する。
Ｔｗ＜タイマ値ｔ＜Ｔｅｎにおいて、他の無線端末からネットワークエントリ要求信号を受信した場合、無線端末１、２は、状態２に遷移し、タイマ値ｔ＝Ｔｅｎにおいて、エントリ要求受信時間が終了したことを受けて、無線端末間通信時間を開始する（状態３）。
具体的には、無線端末１が無線端末２からネットワークエントリ要求信号を受信した場合、Ｔｅｎ＜タイマ値ｔ＜Ｔｅｎ＋Ｔａｗにおいて、無線端末２への接続要求信号送信待ちとなり、タイマ値ｔ＝Ｔｅｎ＋Ｔａｗにおいて、接続要求信号送信待ち時間が終了したことを受けて、接続要求信号を送信する（状態４）。
【００４６】
そして、Ｔｅｎ＋Ｔａｗ＜タイマ値ｔ＜Ｔｅｎ＋Ｔｃにおいて、無線端末２からの接続応答信号（Ａｃｋ）待ちとなる。状態４において、Ａｃｋを受信した場合、無線端末１、２の間でネットワーク接続が確立し（接続状態）、タイマ値ｔ＝Ｔｅｎ＋Ｔｃにおいて、接続要求信号受信時間が終了したことを受けて、無線端末１は、データ通信待ち時間（Ｔａｐｄ）の間、つまり、Ｔ＋Ｔｅｎ＋Ｔｃ＜ｔ＜Ｔ＋Ｔｅｎ＋Ｔｃ＋Ｔａｐｄの間、パワーダウンを開始する（状態５）。
そして、無線端末１は、タイマ値ｔ＝Ｔ＋Ｔｅｎ＋Ｔｃ＋Ｔａｐｄにおいて、パワーダウンを終了し、当該タイムスロットが終了するまで、無線端末２との間でデータ通信を行う（状態６）。なお、当該タイムスロットにおいて、データ通信を行わない場合、無線端末１は、当該タイムスロットが終了するまでパワーダウンを継続する。
【００４７】
一方、Ｔｗ＜タイマ値ｔ＜Ｔｅｎにおいて、他の無線端末からネットワークエントリ要求信号を受信しなかった場合、無線端末１、２は、タイマ値ｔ＝Ｔｅｎにおいて、エントリ要求受信時間が終了したことを受けて、状態７に遷移し、Ｔｅｎ＜タイマ値ｔ＜Ｔにおいて、パワーダウンする。
また、Ｔｅｎ＋Ｔａｗ＜タイマ値ｔ＜Ｔｅｎ＋Ｔｃにおいて、無線端末２からの接続応答信号（Ａｃｋ）を受信しなかった場合、無線端末１、２は、タイマ値ｔ＝Ｔｅｎ＋Ｔｃにおいて、接続要求信号受信時間が終了したことを受けて、状態７に遷移し、Ｔｅｎ＋Ｔｃ＜タイマ値ｔ＜Ｔにおいて、パワーダウンする。
そして、無線端末１、２は、タイマ値ｔ＝Ｔにおいて、パワーダウンを終了し（状態８）、再度、状態０に遷移する。そして、他の無線端末からネットワークエントリ要求信号を受信するまで、状態０、１、７、８のルーチン、又は、状態０〜４、７、８のルーチンを繰り返し実行する。
【００４８】
以上説明したように、本実施形態の無線端末１によれば、ネットワーク確立後、データ通信開始までの間、パワーダウンする。
すなわち、接続要求信号送信後、通信開始までの時間において、無線端末１は、無線部１００を停止させる。
したがって、無線端末１は、ネットワーク確立後、データ通信開始までの消費電力を大幅に低減できる効果が得られる。
【実施例３】
【００４９】
以下、図面を参照して、本発明の無線端末の第３の実施形態について説明する。
本実施形態の無線端末１の基本的な構成は、図１に示す構成図の通りであることから、説明を省略し、以下、第１の実施形態と異なる点について説明する。
図６に示すように、無線機１、２におけるｔ＝０〜Ｔまでの動作は、第１の実施形態において、他の無線端末からネットワークエントリ要求信号を受信しなかった場合と同様である。すなわち、無線機１は、ネットワークエントリ要求信号送受信時間帯（Ｔｅｎ）において、無線端末１、２は、ネットワークにエントリする。具体的には、無線端末１、２は、ネットワークエントリ要求信号送受信時間帯（Ｔｅｎ）において、ネットワークエントリ要求信号送受信時間帯のスタート時刻（ｔ＝０）からネットワークエントリ要求信号送信待ち時間帯Ｔｗ経過した時点（ｔ＝Ｔｗ）で、ネットワークエントリ要求信号をブロードキャスト送信する。
【００５０】
そして、例えば、電波信号減衰のため、電波信号強度が所定の値より低く、他無線端末からのネットワークエントリ要求信号を受信せずに、ネットワークエントリ要求信号送受信時間帯（Ｔｅｎ）が経過した時点（ｔ＝Ｔｅｎ）で、無線端末１、２は、エントリパワーダウン時間帯（Ｔ−Ｔｅｎ）に遷移する。
そして、エントリパワーダウン時間帯（Ｔ−Ｔｅｎ）において、無線端末１、２は、当該タイムスロットが終了するまで、すなわち、ｔ＝Ｔとなるまでパワーダウンする（なお、図６は、パワーダウン状態等を一部簡略して示している）。
そして、タイムロット周期Ｔが経過した時点（ｔ＝Ｔ）で、無線端末１、２は、パワーダウンを終了し、次のタイムスロットに遷移し、ネットワークエントリ処理を繰り返し実行する（ｔ＝Ｔ〜２Ｔ）。なお、以下、説明の簡単のために、ｔ＝Ｔ、２Ｔ、・・、ｎＴ（ただし、ｎは自然数）において、タイマ値ｔをリセットするものとし、図６においてカッコ書で示す。
【００５１】
ここで、本実施形態の無線端末１においては、ネットワークエントリのスタート時点（ｔ＝０）から１タイムスロット周期終了時点（ｔ＝Ｔ）までの間に、他の無線端末のデータ通信、及び、他の無線端末からのネットワークエントリ要求信号送信が行われていない場合、これをＣＳＭＡ／ＣＡ（搬送波感知多重アクセス／衝突回避方式）により検知する。
そして、検知終了時点（ｔ＝Ｔ  ただし、リセットにより、以下、ｔ＝０として説明する）において、無線端末１は、ネットワークエントリ要求信号送信待ち時間（Ｔｗ）を０＜Ｔｗ＜Ｔｅｎの間でランダムな値として生成する。
次に、無線端末１は、生成したネットワークエントリ要求信号送信待ち時間（Ｔｗ）経過時点（ｔ＝Ｔｗ）で、同様に、ネットワークエントリ要求信号をブロードキャストする。
【００５２】
そして、ネットワークエントリ要求信号送受信時間帯（Ｔｅｎ）において、他無線端末からのネットワークエントリ要求信号を受信した場合、第1の実施形態と同様に、ネットワークエントリ要求信号送受信時間帯（Ｔｅｎ）が経過した時点（ｔ＝Ｔｅｎ）で、無線端末１は、無線端末間通信時間帯（Ｔ−Ｔｅｎ）に遷移する。
無線端末間通信時間帯（Ｔ−Ｔｅｎ）において、無線端末１は、接続信号送信待ち時間（Ｔａｗ）を０＜Ｔａｗ＜Ｔｃの間でランダムな値として生成する。
そして、生成した接続信号送信待ち時間Ｔａｗが経過した時点（ｔ＝Ｔ＋Ｔｅｎ＋Ｔａｗ）で、無線端末１は、他の無線端末２に対し、接続要求信号を送信する。接続要求信号は無線端末２において受信され、無線端末２は、接続応答信号（Ａｃｋ）を返す。
【００５３】
接続要求信号を受信した無線端末２からの接続応答信号（Ａｃｋ）を受信すると、当該無線端末１、２間でネットワークを構築される。
そして、ネットワークエントリ要求信号送受信時間帯終了時点（ｔ＝Ｔｅｎ）から接続要求信号受信時間（Ｔｃ）が経過した時点（ｔ＝Ｔｅｎ＋Ｔｃ）で、無線端末１は、データ通信待ち時間（Ｔａｐｄ）の間、つまり、Ｔｅｎ＋Ｔｃ＜ｔ＜Ｔｅｎ＋Ｔｃ＋Ｔａｐｄの間、パワーダウンする。
そして、無線端末１は、データ通信待ち時間が経過した時点（ｔ＝＋Ｔｅｎ＋Ｔｃ＋Ｔａｐｄ）において、パワーダウンを終了し、当該タイムスロットが終了するまで、すなわち、ｔ＝２Ｔとなるまで無線端末間でデータ通信を行う。
一方、無線端末２からネットワークエントリ要求信号を受信せずに、ネットワークエントリ要求信号送受信時間帯（Ｔｅｎ）が経過した時点（ｔ＝Ｔｅｎ）で、無線端末１は、再度、エントリパワーダウン時間帯（Ｔ−Ｔｅｎ）に遷移する。
そして、エントリパワーダウン時間帯（Ｔ−Ｔｅｎ）において、無線端末１は、当該タイムスロットが終了するまで、すなわち、ｔ＝Ｔとなるまでパワーダウンする。
そして、タイムロット周期Ｔが経過した時点（ｔ＝Ｔ）で、無線端末１は、データ通信を終了し、次のタイムスロットに遷移し、ネットワークエントリ処理を繰り返し実行する。
【００５４】
この様子を図７に示す本実施形態の無線端末１の状態遷移図を用いて説明する。まず図３に示す状態遷移図と図７に示す状態遷移図における各状態の対応関係を説明すると、
図３の状態０：図７の状態０、１
図３の状態１：図７の状態２
図３の状態２：図７の状態３
図３の状態３：図７の状態４
図３の状態４：図７の状態５
図３の状態５：図７の状態６
ように対応する。すなわち、特に図７における状態１において、本実施形態の無線端末１は、第１の実施形態と異なる。
【００５５】
今、他の無線端末との未接続状態において、無線端末１、２は、タイマ値ｔを０にセット（リセット）して、ネットワークエントリ受信時間を開始する（状態０）。そして、無線端末１、２は、タイマ値ｔ＝０〜Ｔまで、第１の実施形態において、他の無線端末からネットワークエントリ要求信号を受信しなかった場合と同様の動作、具体的には、０＜タイマ値ｔ＜Ｔの間、他の無線端末のデータ通信、及び、他の無線端末からのネットワークエントリ要求信号送信が行われていない場合、これをＣＳＭＡ／ＣＡにより検知する。
そして、タイマ値ｔ＝Ｔにおいて、無線端末１、２は、ＣＳＭＡ／ＣＡを終了し、再度、タイマ値ｔを０にセット（リセット）する（状態１）。
【００５６】
次に、無線端末１、２は、ネットワークエントリ要求信号送信待ち時間（Ｔｗ）を０＜Ｔｗ＜Ｔｅｎの間でランダムな値として生成し、タイマ値ｔ＝Ｔｗで（状態２）、時計部２００が生成する時刻情報を含むネットワークエントリ要求信号をブロードキャストする。
Ｔｗ＜タイマ値ｔ＜Ｔｅｎにおいて、他の無線端末から時刻情報を含むネットワークエントリ要求信号を受信した場合、無線端末１、２は、状態３に遷移し、タイマ値ｔ＝Ｔｅｎにおいて、エントリ要求受信時間が終了したことを受けて、無線端末間通信時間を開始する。
具体的には、無線端末１が無線端末２からネットワークエントリ要求信号を受信した場合、受信したネットワークエントリ要求信号の時刻情報に基づいて、時計補正部２１０が時計部２００が生成する時刻を補正する。そして、無線端末１は、接続信号送信待ち時間（Ｔａｗ）を０＜Ｔａｗ＜Ｔｃの間でランダムな値として生成し、Ｔｅｎ＜タイマ値ｔ＜Ｔｅｎ＋Ｔａｗにおいて、無線端末２への接続要求信号送信待ちとなり、タイマ値ｔ＝Ｔｅｎ＋Ｔａｗにおいて、接続要求信号送信待ち時間が終了したことを受けて、接続要求信号を送信する（状態４）。
接続要求信号を受信した無線端末２からの接続応答信号（Ａｃｋ）を受信した場合、無線端末１、２の間でネットワーク接続が確立し（接続状態）、無線端末１、２は、タイマ値ｔ＝Ｔとなるまで無線端末間でデータ通信を行う。
【００５７】
一方、Ｔｗ＜タイマ値ｔ＜Ｔｅｎにおいて、他の無線端末からネットワークエントリ要求信号を受信しなかった場合、無線端末１、２は、タイマ値ｔ＝Ｔｅｎにおいて、エントリ要求受信時間が終了したことを受けて、状態５に遷移し、Ｔｅｎ＜タイマ値ｔ＜Ｔにおいて、パワーダウンする。
そして、無線端末１、２は、タイマ値ｔ＝Ｔにおいて、パワーダウンを終了し（状態６）、再度、状態２に遷移する。そして、他の無線端末からネットワークエントリ要求信号を受信するまで、状態２、５のルーチンを繰り返し実行する。
【００５８】
以上説明したように、本実施形態の無線端末１によれば、ネットワークエントリ開始時の最初のタイムスロットにおいて、他の無線端末が出力する搬送波の有無を検出（キャリアセンス）し、時計部２００が生成する時刻情報を含むネットワークエントリ要求信号をブロードキャストするため、ネットワークを構成する無線端末間で、タイマ値がずれていても、これを補正してタイムスロットを合わせる。
したがって、確実に決められたタイムスロットでデータ送受信を行うことが出来る効果が得られる。
【００５９】
また、本実施形態の無線端末１によれば、ネットワークエントリ要求信号送信待ち時間帯Ｔｗを各無線端末において、ランダムに生成するため、各無線端末において、ネットワークエントリ要求信号送信待ち時間帯Ｔｗは異なる値となる。
したがって、複数の無線末が無線通信可能な範囲に存在する場合において、無線端末内時計の時刻が通信相手の無線端末の時計と異なっており、ネットワークエントリ受信時間Ｔｗが継続して同じタイミングになってしまう場合においても、互いにネットワークエントリ要求信号の受信が不可能となって接続できなくなることを防止することができる効果が得られる。
また、本実施形態の無線端末１によれば、接続信号送信待ち時間Ｔａｗを各無線端末において、ランダムに生成するため、各無線端末において、接続信号送信待ち時間Ｔａｗは異なる値となる。
したがって、複数の無線末が無線通信可能な範囲に存在する場合において、無線端末内時計の時刻が通信相手の無線端末の時計と異なっており、接続信号送信待ち時間Ｔａｗが継続して同じタイミングになってしまう場合においても、互いに接続要求信号の受信が不可能となって接続できなくなることを防止することができる効果が得られる。
【００６０】
上述の無線端末１、２は、内部に、コンピュータシステムを有している。
そして、上述したネットワーク確立処理、パワーマネジメント処理、時刻補正処理に関する一連の処理の過程は、プログラムの形式でコンピュータ読み取り可能な記録媒体に記憶されており、このプログラムをコンピュータが読み出して実行することによって、上記処理が行われる。
すなわち、無線端末１、２における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００６１】
【図１】無線端末１の構成図。
【図２】実施例１における無線端末１、２間における送受信信号を示すタイムチャート。
【図３】実施例１における無線端末１、２の状態遷移図。
【図４】実施例２における無線端末１、２間における送受信信号を示すタイムチャート。
【図５】実施例２における無線端末１、２の状態遷移図。
【図６】実施例３における無線端末１、２間における送受信信号を示すタイムチャート。
【図７】実施例３における無線端末１、２の状態遷移図。
【符号の説明】
【００６２】
１、２…無線端末
１００…無線部
１１０…無線信号処理部
１２０…中央処理部
１３０…表示部
１４０…操作部
１５０…記憶部
２００…時計部
２１０…時計補正部
【図１】
2005057601.tif 000003
【図２】
2005057601.tif 000004
【図３】
2005057601.tif 000005
【図４】
2005057601.tif 000006
【図５】
2005057601.tif 000007
【図６】
2005057601.tif 000008
【図７】
2005057601.tif 000009